【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
サーチライト（１）によって生じる光照射野（Ｌ、Ｌ’）の明度を調節するためのサーチライト用減光装置（２）であって、サーチライト（１）から発せられる光（ＬＳ）を部分的又は完全に遮蔽するために形成されて取り付けられている複数の様々な遮蔽部材（２２、２２Ａ−２２Ｄ）を有し、
遮蔽部材（２２、２２Ａ−２２Ｄ）がサーチライト（１）から発せられる光（ＬＳ）を少なくとも部分的に遮蔽する様々な構造化マスクによって形成されており、前記遮蔽部材は規則的に配置された不透明又は部分的に透明な領域（２２０）と透明な領域（２２１）とを有し、手段（２３）はサーチライト（１）によって生じる光照射野（Ｌ、Ｌ’）の明度の増分調節のために取り付けられており、
サーチライト（１）から発せられる光（ＬＳ）の領域へと遮蔽部材（２２、２２Ａ−２２Ｄ）を移動させることで、生じる光照射野（Ｌ、Ｌ’）の明度を１明度レベルずつ低下させる、又は
サーチライト（１）から発せられる光（ＬＳ）の領域から遮蔽部材を取り除くことによって、生じる光照射野（Ｌ、Ｌ’）の明度レベルを１明度レベルずつ上昇させることを特徴とする減光装置。
【請求項２】
マスクを構成する遮蔽部材（２２、２２Ａ−２２Ｄ）が、サーチライト（１）から発せられる光（ＬＳ）を部分的に透過させる灰色のディスクをそれぞれ構成することを特徴とする請求項１に記載の減光装置。
【請求項３】
規則的に配置された不透明又は部分的に透明な領域（２２０）と透明な領域（２２１）とを有する複数の遮蔽部材（２２、２２Ａ−２２Ｄ）と、灰色のディスクを構成する少なくとも一つの遮蔽部材（２２、２２Ａ−２２Ｄ）とによって特徴付けられ、様々な明度レベルが遮蔽部材（２２、２２Ａ−２２Ｄ）の重ね合わせによって調節可能である請求項１又は請求項２に記載の減光装置。
【請求項４】
サーチライトから発せられる光（ＬＳ）を着色するために、着色部材が取り付けられていることを特徴とする請求項１から請求項３のいずれかに記載の減光装置。
【請求項５】
減光装置（２）がハウジング（２５）に配置された分離ユニットを形成することを特徴とする請求項１から請求項４のいずれかに記載の減光装置。
【請求項６】
駆動手段（２３）が遮蔽部材（２２、２２Ａ−２２Ｄ）を移動させる又は旋廻させるために取り付けられていることによって、サーチライト（１）から発せられる光（ＬＳ）の領域へと遮蔽部材（２２、２２Ａ−２２Ｄ）を移動させる、又はサーチライト（１）から発せられる光（ＬＳ）の領域から遮蔽部材を取り除くことを特徴とする請求項１から請求項５のいずれかに記載の減光装置。
【請求項７】
駆動手段（２３）が電気モータを有することを特徴とする請求項６に記載の減光装置。
【請求項８】
駆動手段（２３）が電磁石によって遮蔽部材（２２、２２Ａ−２２Ｄ）を旋廻させるように形成されていることを特徴とする請求項６に記載の減光装置。
【請求項９】
遮蔽部材（２２、２２Ａ−２２Ｄ）がバネによって付勢されていることを特徴とする請求項１から請求項８のいずれかに記載の減光装置。
【請求項１０】
請求項１から請求項９のいずれかに記載の減光装置を備えるサーチライト。
【手続補正２】
【補正対象書類名】明細書
【補正対象項目名】００６３
【補正方法】変更
【補正の内容】
【００６３】
本発明の元になる思想を用いる完全に別の種類の遮蔽部材が考えられる。特に、遮蔽部材を不規則に構成することが考えられ、図３Ａから３Ｄ及び５Ａから５Ｄに示される実施形態とは反対に、不規則な格子構造が用いられる。ここで、遮蔽部材がサーチライトによって生じる光に対して遮蔽効果を有すること、及び生じる光照射野の明度が遮蔽部材の重ね合わせによって漸次的に調節可能であることが重要である。
ここで、実施形態に記載されたいくつかの発明を以下に列記する。
１．サーチライト（１）によって生じる光照射野（Ｌ、Ｌ’）の明度を調節するためのサーチライト用減光装置（２）であって、サーチライト（１）から発せられる光（ＬＳ）を部分的又は完全に遮蔽するために形成されて取り付けられている複数の様々な遮蔽部材（２２、２２Ａ−２２Ｄ）を有し、遮蔽部材（２２、２２Ａ−２２Ｄ）がサーチライト（１）から発せられる光（ＬＳ）を少なくとも部分的に遮蔽する様々な構造化マスクによって形成されており、前記遮蔽部材は規則的に配置された不透明又は部分的に透明な領域（２２０）と透明な領域（２２１）とを有し、手段（２３）はサーチライト（１）によって生じる光照射野（Ｌ、Ｌ’）の明度の増分調節のために取り付けられており、サーチライト（１）から発せられる光（ＬＳ）の領域へと遮蔽部材（２２、２２Ａ−２２Ｄ）を移動させることで、生じる光照射野（Ｌ、Ｌ’）の明度を１明度レベルずつ低下させる、又はサーチライト（１）から発せられる光（ＬＳ）の領域から遮蔽部材を取り除くことによって、生じる光照射野（Ｌ、Ｌ’）の明度レベルを１明度レベルずつ上昇させることを特徴とする減光装置。
２．様々な遮蔽部材（２２、２２Ａ−２２Ｄ）が形成されて取り付けられることによって、生じる光照射野（Ｌ、Ｌ’）の種々の明度レベルを様々な遮蔽部材（２２、２２Ａ−２２Ｄ）の重ね合わせによって調節することを特徴とする１の減光装置。
３．各遮蔽部材（２２、２２Ａ−２２Ｄ）は光を遮蔽する量を示す遮蔽係数で特徴付けられ、重ね合わせられた遮蔽部材（２２、２２Ａ−２２Ｄ）の遮蔽係数の合計が様々な遮蔽部材（２２、２２Ａ−２２Ｄ）の遮蔽係数の加算によって得られることを特徴とする２の減光装置。
４．様々な遮蔽部材（２２、２２Ａ−２２Ｄ）がサーチライト（１）から発せられる光（ＬＳ）の領域に全て配置されると、サーチライト（１）から発せられる光が完全に遮蔽されることを特徴とする２又は３の減光装置。
５．マスクを構成する遮蔽部材（２２、２２Ａ−２２Ｄ）が、不透明又は部分的に透明な領域と透明な領域と（２２０、２２１）によって形成される格子状又はラスター状の構造をそれぞれ有することを特徴とする１から４のいずれかの減光装置。
６．マスクを構成する遮蔽部材（２２、２２Ａ−２２Ｄ）が、サーチライト（１）から発せられる光（ＬＳ）を部分的に透過させる灰色のディスクをそれぞれ構成することを特徴とする１から５のいずれかの減光装置。
７．規則的に配置された不透明又は部分的に透明な領域（２２０）と透明な領域（２２１）とを有する複数の遮蔽部材（２２、２２Ａ−２２Ｄ）と、灰色のディスクを構成する少なくとも一つの遮蔽部材（２２、２２Ａ−２２Ｄ）とによって特徴付けられ、様々な明度レベルが遮蔽部材（２２、２２Ａ−２２Ｄ）の重ね合わせによって調節可能である１から６のいずれかの減光装置。
８．サーチライトから発せられる光（ＬＳ）を着色するために、着色部材が取り付けられていることを特徴とする１から７のいずれかの減光装置。
９．減光装置（２）がハウジング（２５）に配置された分離ユニットを形成することを特徴とする１から８のいずれかの減光装置。
１０．遮蔽部材（２２、２２Ａ−２２Ｄ）が、減光装置（２）の旋廻軸（２４）に対して移動可能又は旋廻可能に取り付けられていることを特徴とする１から９のいずれかの減光装置。
１１．旋廻可能に取り付けられた遮蔽部材（２２、２２Ａ−２２Ｄ）の旋廻軸が、サーチライト（１）から発せられる光（ＬＳ）の伝播方向に対してほぼ垂直又は平行に配置されていることを特徴とする１０の減光装置。
１２．駆動手段（２３）が遮蔽部材（２２、２２Ａ−２２Ｄ）を移動させる又は旋廻させるために取り付けられていることによって、サーチライト（１）から発せられる光（ＬＳ）の領域へと遮蔽部材（２２、２２Ａ−２２Ｄ）を移動させる、又はサーチライト（１）から発せられる光（ＬＳ）の領域から遮蔽部材を取り除くことを特徴とする１から１１のいずれかの減光装置。
１３．駆動手段（２３）が電気モータを有することを特徴とする１２の減光装置。
１４．駆動手段（２３）が電磁石によって遮蔽部材（２２、２２Ａ−２２Ｄ）を旋廻させるように形成されていることを特徴とする１２の減光装置。
１５．遮蔽部材（２２、２２Ａ−２２Ｄ）がバネによって付勢されていることを特徴とする１から１４のいずれかの減光装置。
１６．駆動手段（２３）が、遮蔽係数を調節するために使用者によって設定された遮蔽係数を様々な遮蔽部材（２２、２２Ａ−２２Ｄ）の組み合わせへと変換する電子制御ユニットを有することを特徴とする１から１５のいずれかの減光装置。
１７．電子制御ユニットが、サーチライト（１）の光照射野（Ｌ、Ｌ’）の明度の微調整のためにサーチライトの電子安定器と協働するよう形成されて取り付けられていることを特徴とする１６の減光装置。
１８．電子制御ユニットがセンサと協働するよう形成されて取り付けられており、センサは生じる光照射野（Ｌ、Ｌ’）の明度を調節するために生じる光照射野（Ｌ、Ｌ’）の明度を測定することを特徴とする１６又は１７の減光装置。
１９．電子制御ユニットが、生じる光照射野（Ｌ、Ｌ’）の明度を調節するために記録装置、特にカメラと協働するよう形成されて取り付けられていることを特徴とする１６から１８のいずれかの減光装置。
２０．減光装置（２）が、生じる光照射野（Ｌ、Ｌ’）の明度を調節するために作動棒に連結可能であることを特徴とする１から１９のいずれかの減光装置。
２１．遮蔽部材（２２、２２Ａ−２２Ｄ）は金属製マスクを構成しており、マスクの不透明な領域（２２０）が金属面によって形成されていることを特徴とする１から２０のいずれかの減光装置。
２２．金属製マスクが打抜き、エンボス、延伸、レーザー、打設又は射出形成されていることを特徴とする１から２１のいずれかの減光装置。
２３．遮蔽部材（２２、２２Ａ−２２Ｄ）が印刷ディスクを構成することを特徴とする１から２２のいずれかの減光装置。
２４．遮蔽部材（２２、２２Ａ−２２Ｄ）がガラス又はプラスチック製のディスク又はフィルムを構成することを特徴とする１から２３のいずれかの減光装置。
２５．１から２４のいずれかの減光装置を備えるサーチライト。